(57)【特許請求の範囲】
【請求項１】
苗のせ台に載置された苗を該苗のせ台の下端部から植付機構で取り出して圃場に植付ける作動を行うと共に、この植付け作動時に横送り機構で苗のせ台を横方向に往復作動させ、この作動によって苗のせ台が横移動ストロークエンドに達する毎に縦送り装置で苗のせ台に載置された苗を所定量ずつ下端側に向けて送る作動を行うよう苗植付装置が構成されている田植機であって、
前記横送り機構を、苗植付装置に備えた植付伝動ケースに一端側を支持させるとともに他端側を植付伝動ケースの横一側外方に突出配置した螺軸と、この螺軸に形成された往復螺旋溝に係合して前記螺軸の回転により苗のせ台を横方向に往復移動させるように前記苗のせ台側に固定されたコマ部材とで構成し、
前記螺軸の延出端を、植付機構を装備した最外側の植付ケースの近傍に位置設定し、前記植付伝動ケースに前記植付機構を備えた植付ケースに対する出力部を設け、
走行機体に対して前記植付伝動ケースを前後向きのローリング軸芯周りで揺動自在に支承するとともに、そのローリング軸心の左右方向での一側に前記螺軸の往復螺旋溝形成部分を配置し、他側に前記螺軸の横送り速度を変速するギア式変速機構と、前記植付ケースへの出力部とを位置させてあり、
さらに、前記植付伝動ケースにおける螺軸延出方向とは反対側に横送り変速機構の変速操作具を配置してある田植機。
【請求項２】
螺軸が配置された側とは反対側の植付伝動ケースの横側方位置に、植付機構による植付深さを変更するための植付深さ調節レバーを設けてある請求項１記載の田植機。
【請求項３】
横送り駆動用の螺軸の延出端側を、植付ケースが固定連結されるフレームに取り付けた支持部で支承するように構成してある請求項１または２記載の田植機。
【請求項４】
植付伝動ケースを機体左右方向での中央部に配置し、螺軸を機体左右方向での一方側寄りに偏倚させて設けてある請求項１〜３のいずれか一つに記載の田植機。
【請求項５】
縦送り装置への縦送り動力伝達用の常時回転軸を備え、その常時回転軸の延出端を最外側の植付ケース近傍に配置してある請求項１〜４のいずれか一つに記載の田植機。
【請求項６】
縦送り動力伝達用の常時回転軸と横送り動力伝達用の螺軸が植付伝動ケースの同じ横側方に延出されている請求項１〜５のいずれか一つに記載の田植機。
【発明の詳細な説明】
【０００１】
【発明の属する技術分野】
本発明は、植付け用苗を載置した苗のせ台の下端部から植付け苗を取り出して圃場に植付ける複数の植付爪を備え、苗のせ台の苗載置面に、苗のせ台の横移動ストロークエンドにおいて載置苗を所定量づつ前記植付爪に向けて送り出す縦送り装置を各条毎に設けてある田植機に関する。
【０００２】
【従来の技術】
上記田植機において、従来では、例えば下記[１] ，[２] に記載の技術が知られている。
[１]  機体幅方向中央に位置する植付伝動ケースを左右に貫通する状態で螺軸を横架支承して、この螺軸の両端部を苗のせ台に連結し、植付伝動ケース内において螺軸に外嵌するコマ部材を回転駆動して、コマ部材と螺軸の外周面に形成した往復螺旋溝との係合作用により、苗のせ台を左右に往復横移動させるよう構成し、前記コマ部材の回転速度を切り換え変更する変速装置を植付伝動ケース内に設け、その変速操作部材を植付伝動ケースの横一側から外方に突出配備し、かつ、植付伝動ケースの左右両側部から縦送り装置の駆動用回転カムを突出配備する構成のものがあった（例えば、特開昭６２‐１０４５０５号公報）。
[２]  植付伝動ケースの横一側外方に向けて螺軸を突出配置し、この植付伝動ケース外に突出した螺軸に形成された往復螺旋溝に係合して螺軸の回転により往復移動されるコマ部材を設け、このコマ部材に苗のせ台を連結することによって、螺軸は横移動させずに苗のせ台を横方向に往復移動させるように構成し、縦送り動力伝達用の軸は、植付伝動ケースに対してその左右両側面から両横外方に延出するとともに、苗のせ台側に設けられた被動側の接当アームに対して接当して駆動するためのカム部分をその軸の両端部にそれぞれ設けた構造のものが従来より知られている（例えば、実開昭６３‐１４０８１９号公報）。
【０００３】
【発明が解決しようとする課題】
上記の従来構造のものは、そのいずれも、例えば実開昭５９‐６４６１３号公報に示されるような、螺軸の全体を大きな植付伝動ケースに内装する構造のものに比べ、植付伝動ケースの小型化を図り得る点では有用なものである。
しかしながら、前記[１] に示す従来構造によると、螺軸の螺旋溝に係合するコマ部材が植付伝動ケースに内蔵されることから、この部位の点検や保守を行う際には植付伝動ケースを分解せねばならず改善の余地がある。
しかも、この従来構造では、植付伝動ケースを左右に貫通する状態で螺軸を横架支承し、植付伝動ケースに対して螺軸を相対移動させるものであるから、植付伝動ケースに対する螺軸の支持構造が、相対回動とともに相対摺動を行う部分のシーリング構造を含んで複雑となる問題がある。
また、前記[２] に示す従来構造によると、植付伝動ケースを左右に貫通する状態に螺軸を配設するのではなく、植付伝動ケースの横一側外方に向けて螺軸を突出配置して、螺軸自体は植付伝動ケースに対して左右横移動しないように位置固定状態に構成されている。したがって、螺軸と植付伝動ケースとの間におけるシール構造としては、植付伝動ケースのケース側壁に対する螺軸の挿通孔が少なくなることと、螺軸の軸方向での摺動を伴うシールは必要でなく回転方向に対するシール構造であればよいこととの相乗により、シール構造の複雑化を回避することができる点では有用である。
しかしながら、前記植付伝動ケースは機体の左右方向での中央箇所に一般的に配置されるので、上記[２] 、及び前記[１] の従来構造においては、縦送り装置の操作部材やその操作部材に係合する縦送り動力伝達用の軸側の操作部材や操作部に対するメンテナンスを、機体横側外方側から狭い内奥側へ手を延ばしながら、しかも左側からも右側からも各別に行わなければならないという煩わしさがある。
そして、前記コマ部材の変速装置の操作具が植付伝動ケースの横一側に突出配備される構成であるから、植付作業中に前記操作具を操作しようとして作業者が手を植付伝動ケースの横側に差し入れると、この近傍において、上記した回転カムが常時回転駆動されているので、誤って手が触れる虞があり、操作を慎重に行わざるを得ず、操作性が悪く改善の余地があった。
本発明は、植付伝動ケースの小型化に伴う苗植付装置全体の小型軽量化と製作加工上の簡素化によって低コスト化を図るとともに、苗のせ台横送りのための機構と縦送り装置との保守点検を行い易くした田植機を提供することを目的としている。
【０００４】
【課題を解決するための手段】
本発明の田植機は上記目的を達成するために下記の技術手段を講じたものである。
＜請求項１にかかる発明＞
請求項１にかかる発明では、苗のせ台に載置された苗を該苗のせ台の下端部から植付機構で取り出して圃場に植付ける作動を行うと共に、この植付け作動時に横送り機構で苗のせ台を横方向に往復作動させ、この作動によって苗のせ台が横移動ストロークエンドに達する毎に縦送り装置で苗のせ台に載置された苗を所定量ずつ下端側に向けて送る作動を行うよう苗植付装置が構成されている田植機において、
前記横送り機構を、苗植付装置に備えた植付伝動ケースに一端側を支持させるとともに他端側を植付伝動ケースの横一側外方に突出配置した螺軸と、この螺軸に形成された往復螺旋溝に係合して前記螺軸の回転により苗のせ台を横方向に往復移動させるように前記苗のせ台側に固定されたコマ部材とで構成し、
前記螺軸の延出端を、植付機構を装備した最外側の植付ケースの近傍に位置設定し、前記植付伝動ケースに前記植付機構を備えた植付ケースに対する出力部を設け、
走行機体に対して前記植付伝動ケースを前後向きのローリング軸芯周りで揺動自在に支承するとともに、そのローリング軸心の左右方向での一側に前記螺軸の往復螺旋溝形成部分を配置し、他側に前記螺軸の横送り速度を変速するギア式変速機構と、前記植付ケースへの出力部とを位置させてあり、
さらに、前記植付伝動ケースにおける螺軸延出方向とは反対側に横送り変速機構の変速操作具を配置してある。
【０００５】
上記の技術手段を採用したことによる作用は次のとおりである。
ａ．  本発明のものでは、螺軸の他端側が植付伝動ケースの外方に配置されるので植付伝動ケースの横幅の縮小を無理なく行うことができるものであるとともに、従来例のように螺軸が横移動するものではなく、植付伝動ケースに対して左右に相対移動しないように左右位置を固定して配置されるので、そのシーリング構造を含めて支持構造の簡素化を図ることが可能となる。
また、この構成によると、植付伝動ケースに対して左右に相対移動しないように左右位置を固定して配置される螺軸は、植付伝動ケースの外方に突出させた螺軸の突出部分に形成された往復螺旋溝に対してコマ部材が係入するので、例えば、螺旋溝に対するコマ部材の係合部位を分解してメンテナンスする場合でも従来例のように植付伝動ケースを分解しなくて済む。
ｂ．  苗のせ台を往復横移動させるための植付伝動ケースにおける螺軸配設方向と反対側横側には、螺軸を設けて横送り動力伝達機構やその関連部材が配置された側に比べて比較的空間的な余裕があり、この位置に変速操作具を配設するから、変速操作具の操作の際に、誤って各種駆動機器や可動部材に手が触れる等のおそれが少ないので、変速操作を素早く行うことができるものとなる。
ｃ．  また、横送り動力伝達用の螺軸の延出端を最外側の植付ケースの近くに配置したので、横送り機構部分が左右方向での一側外端寄りに位置して、横外側からのメンテナンスが行い易くなる。
ｄ．  前記植付伝動ケースは、走行機体に対して前後向きのローリング軸芯周りで揺動自在に支承されているとともに、そのローリング軸心の左右方向での一側に前記螺軸の往復螺旋溝形成部分を配置し、他側に螺軸の横送り速度を変速するギア式変速機構と、前記植付ケースへの出力部とを位置させてあるので、多数の植付ケースを備えた多条植田植機における左右の苗植付深さの変動を抑制することができる。つまり、走行機体の左右傾斜などに伴う苗植付装置の左右傾動を、前後向きのローリング軸芯周りでの相対回動によって抑制し、左右の苗植付深さを適正な状態に維持し易いものである。そして、このようにローリング作動をする苗植付装置において、比較的重量の大きいものである螺軸の往復螺旋溝形成部分と、ギヤ式変速機構および植付ケースへの出力部とを、ローリング軸芯の左右に振り分けることによって、苗植付装置の左右バランスの不均衡を抑制し得る点でも有利である。
ｅ．  また、植付伝動ケースには、ローリング軸心から左右方向で離れた位置に植付ケースへの出力部を位置させることになるので、この出力部をローリング軸芯と左右方向で同じ位置に設けた場合のように、ローリング軸芯と左右方向での同じ位置に植付ケースを設けることができないという設計上の制約を受ける不具合がない。
【０００６】
＜請求項２にかかる発明＞
請求項２にかかる発明の田植機は、上記目的を達成するために、請求項１にかかる発明の技術手段に加えて下記の技術手段を講じたものである。
螺軸が配置された側とは反対側の植付伝動ケースの横側方位置に、植付機構による植付深さを変更するための植付深さ調節レバーを設けてある。
【０００７】
請求項２にかかる発明の技術手段を採用したことによる作用は次のとおりである。
ｆ．螺軸が配置された側とは反対側の植付伝動ケースの横側方に、植付機構の作動を基準とした相対的な植付深さの変更を行う操作レバーを配置することにより、横送り駆動系と植付形態変更のための操作系とが植付伝動ケースの左右で分けられ、この点での構成の簡素化が図れるとともに、植付形態の変更を、前記螺軸や前記回転軸、ならびにそれらとの連係機構が錯綜していない箇所で行い得る。
【０００８】
＜請求項３にかかる発明＞
請求項３にかかる発明の田植機は、上記目的を達成するために、請求項１または２にかかる発明の技術手段に加えて下記の技術手段を講じたものである。
横送り駆動用の螺軸の延出端側を、植付ケースが固定連結されるフレームに取り付けた支持部で支承するように構成してある。
【０００９】
請求項３にかかる発明の技術手段を採用したことによる作用は次のとおりである。
ｇ．横送り駆動用の螺軸の一端側は植付伝動ケースに支承され、他端の延出端側は植付ケースが固定連結されるフレームに固定されているので、強固なフレームの強度を利用して横送り駆動用の螺軸の曲げが抑えられ、円滑な横送り駆動が行える。
【００１０】
＜請求項４にかかる発明＞
請求項４にかかる発明の田植機は、上記目的を達成するために、請求項１〜３の何れか一つにかかる発明の技術手段に加えて下記の技術手段を講じたものである。
植付伝動ケースを機体左右方向での中央部に配置し、螺軸を機体左右方向での一方側寄りに偏倚させて設けてある。
【００１１】
請求項４にかかる発明の技術手段を採用したことによる作用は次のとおりである。
ｈ．重量物である植付伝動ケースを機体左右方向での中央部に配置し、横送り駆動用の螺軸はケース外へ延出することで植付伝動ケースの軽量化を図りながら左右バランスを良好に保つことができる。
【００１２】
＜請求項５にかかる発明＞
請求項５にかかる発明の田植機は、上記目的を達成するために、請求項１〜４のいずれか一つに記載の発明の技術手段に加えて下記の技術手段を講じたものである。
縦送り装置への縦送り動力伝達用の常時回転軸を備え、その常時回転軸の延出端を最外側の植付ケース近傍に配置してある。
【００１３】
請求項５にかかる発明の技術手段を採用したことによる作用は次のとおりである。
ｉ．縦送り動力伝達用の軸は常時回転軸で構成されていて、その常時回転軸に設けられた左右一対の回転カムが、苗のせ台の横移動端で苗のせ台側の接当アームに接当して縦送り作動するので、縦送り動力伝達用の軸を間欠回転軸とした場合のように、その間欠回転軸を螺軸の一回転毎に往復揺動駆動するためのカム機構部分でのカム駆動音や振動発生を低減することができる。
そして、その常時回転軸の延出端が最外側の植付ケース近傍に配置されているので、縦送り軸のメンテナンスも機体の左右方向での一側から容易に行い易い。
【００１４】
＜請求項６にかかる発明＞
請求項６にかかる発明の田植機は、上記目的を達成するために、請求項１〜５の何れか一つにかかる発明の技術手段に加えて下記の技術手段を講じたものである。
縦送り動力伝達用の常時回転軸と横送り動力伝達用の螺軸が植付伝動ケースの同じ横側方に延出されている。
【００１５】
請求項６にかかる発明の技術手段を採用したことによる作用は次のとおりである。
ｊ．縦送り装置を駆動する常時回転軸の延出方向は、植付伝動ケースの前記螺軸を突出させて配設した側と同じ側の横一側外方であるから、この常時回転軸に備えた回転カムと苗載せ台に備えられた接当アームとの接当部の点検・保守を、植付伝動ケースの同じ横側方位置で、しかもほぼ中央位置に存在する植付伝動ケースから同じ横一側方寄りに偏した箇所、つまり機体の右側もしくは左側のうちの何れか一方の側で、かつ機体横外側に近い箇所で行なうことができる。
【００１６】
【発明の実施の形態】
以下、実施例を図面に基いて説明する。
図４に乗用型田植機の後部を示している。この田植機は、乗用型走行機体の後部にリンク機構１を介して昇降自在並びに前後軸芯周りで左右ローリング自在に苗植付装置２を連結して構成してある。
【００１７】
前記苗植付装置２は、リンク機構１の枢支ボス部材３に前後軸芯周りでローリング自在に連結される植付伝動ケース４に横方向にほぼ全幅に亘って配設される角パイプ状のアルミニューム引き抜き材からなるフレーム杆５を固定連結するとともに、このフレーム杆５に適宜間隔をあけて複数のフィードケース６を後方に向けて片持ち状に固定延出し、前記フレーム杆５に対して横方向に往復移動自在に苗のせ台７を支持してある。そして、前記フィードケース６の後部に左右両側に植付機構８を配設し、各植付機構８における植付爪８ａにより、苗のせ台７の下端部から一株づつ苗を取り出して圃場に植付けるよう構成してある。前記苗のせ台７の各条苗載置面７ａには、横移動ストロークエンドにおいて載置苗を所定量づつ植付機構８に向けて縦送りする突起付き無端回動ベルト式縦送り装置９を設けてある。前記各フィードケース６に形成したボス部１０により回動支軸１１を支承し、この回動支軸１１から一体延出した３個のアーム１２の端部に夫々接地フロート１３を枢支連結して配備してある。
【００１８】
次に、前記苗植付装置２に対する伝動系について説明する。図２に示すように、走行機体側から伝動軸１４及び植付伝動ケース４内のベベルギア機構１５を介して横向き入力軸１６に動力が伝えられ、この入力軸１６からギア式変速機構１７を介して植付伝動ケース４に横架支承され且つ該ケース４の左側横外方に突出する状態で配置した螺軸１８に動力を伝えるよう構成してある。この螺軸１８の外方端は、前記フレーム杆５から固設延出したブラケット１９により支承してある。
【００１９】
図１、図３に示すように、この螺軸１８には外周面に往復螺旋溝２０を形成してあり、この螺旋溝２０に係合するコマ部材２１を内装した筒部材２２を外嵌し、苗のせ台７の裏面に固設のブラケット２３を介して連結固定した連結具２４を筒部材２２に横方向に一体移動するよう差し込み連結してピン２５により抜け止めして、螺軸１８の回転に伴い螺旋溝２０とコマ部材２１の係合作用により、苗のせ台７を所定ピッチで往復横移動するようにして横送り機構Ａを構成してある。
【００２０】
又、前記入力軸１６からギア伝動機構２６を介して横向き姿勢の常時回転軸２７に動力を供給するよう構成してある。この常時回転軸２７は螺軸１８と同様に植付伝動ケース４に横架支承され且つ該ケース４の左側横外方に突出する状態で配置され、ブラケット２８により外方端部を支持するよう構成してある。この常時回転軸２７にはその途中部に左右一対の回転カム２９を取付け、この回転カム２９が、苗のせ台７の横移動ストロークエンドにおいて、前記縦送り装置９に連係される接当アーム３０を接当揺動させて突起付き無端回動ベルト９ａを所定量づつ回動して載置苗を所定量づつ縦送りするよう構成してある。尚、接当アーム３０は所定待機位置に復帰付勢するようバネ付勢してある。
【００２１】
又、前記常時回転軸２７から伝動チェーン３１を介して中継横軸３２を回転駆動するように、植付伝動ケース４の下部側にフィードケース６側へ動力を導く出力部を構成し、この出力部に支承された中継横軸３２から植付伝動ケース４の外方側において各フィードケース６の入力軸３４に動力が伝えられ、各フィードケース６内に配備されるチェーン伝動機構（図示せず）を介して各植付機構８に伝えられるよう伝動系を構成してある。
【００２２】
そして、螺軸１８に対する前記変速機構１７の操作具３６を、植付伝動ケース４における螺軸１８配設側とは反対側、つまり、右側横外方に配設してある。この変速機構１７は、図２に示すように、入力軸１６に径の異なる複数の駆動ギア３７を遊転外嵌するとともに、螺軸１８に各駆動ギア３７に咬合う複数の従動ギア３８を一体回転自在に外嵌装着し、入力軸１６の内部に軸芯方向にシフト操作自在並びに各駆動ギア３７に選択的に咬合係合自在なシフトキー３９を配設してある。そして、前記操作具３６によりこのシフトキー３９をスライド操作することで、互いに変速比の異なるいずれかの駆動ギア３７を選択的に入力軸１６と一体回転駆動させて変速操作できるよう構成してある。
【００２３】
又、植付伝動ケース４の前記操作具３６配設側に、前記回動支軸１１を回動操作して接地フロート１３の支点位置を変更させ、植付爪８ａによる植付け深さを変更調節するための植付け深さ調節レバー４０を設けてある。
【００２４】
前記回転カム２９は左右一対設けるものに代えて、回転カムを１個設けるとともに、苗のせ台側の接当アーム３０を左右２個設けて、横移動ストロークエンドにおいて、いずれかの接当アームが回転カムにより接当回動されるよう構成するものでもよい。
【００２５】
【発明の効果】
請求項１にかかる発明の効果は次のとおりである。
（イ）．本発明のものでは、螺軸が一端側を植付伝動ケースの外方に延出配置され、かつ、植付伝動ケースに対しては左右位置を固定して設けられるので、植付伝動ケースの横幅の縮小を無理なく行うことができるものであるとともに、そのシーリング構造を含めて支持構造の簡素化を図ることが可能となる。また、螺軸の螺旋溝に対するコマ部材の係合部位を分解してメンテナンスする場合でも従来のように植付伝動ケースを分解しなくて済み、メンテナンスを楽に行える利点がある。
（ロ）．植付伝動ケースにおける螺軸配設方向と反対側横側の比較的空間的な余裕がある箇所に変速操作具を配設するから、変速操作具の操作の際に、誤って各種駆動機器や可動部材に手が触れる等のおそれが少ないので、変速操作を素早く行うことができ、操作性の良い田植機を得ることができる。
（ハ）．また、横送り動力伝達用の螺軸の延出端を最外側の植付ケースの近くに配置したので、横送り機構部分が左右方向での一側外端寄りに位置して、横外側からのメンテナンスが行い易くなり、この点でもメンテナンス性の向上を期待できる。
（ニ）．左右の苗植付深さを適正な状態に維持し易いようにローリング作動をする苗植付装置において、比較的重量の大きいものである螺軸の往復螺旋溝形成部分とギヤ式変速機構および植付ケースへの出力部とを、ローリング軸芯の左右に振り分けることによって、苗植付装置の左右バランスの不均衡を抑制し、ローリング作動そのものを左右でバランス良く行わせ得て、苗植付装置が一方向側へのみ傾き易くなるような不具合を避け得る利点がる。
（ホ）．また、植付伝動ケースには、ローリング軸心から左右方向で離れた位置に植付ケースへの出力部を位置させることになるので、ローリング軸芯と左右方向での同じ位置に植付ケースを設けるような構成の苗植付装置を採用することも可能であり、汎用性に優れた装置を得ることができる利点がある。
【００２６】
（へ）．請求項２にかかる発明では、螺軸が配置された側とは反対側の植付伝動ケースの横側方に、植付機構の作動を基準とした相対的な植付深さの変更を行う操作レバーを配置することにより、横送り駆動系と植付形態変更のための操作系とが植付伝動ケースの左右で分けられ、より一層の構成の簡素化が図れる利点がある。また、植付形態の変更を、前記螺軸や前記回転軸、ならびにそれらとの連係機構が錯綜していない箇所で、容易に行い易いという利点もある。
【００２７】
（ト）．請求項３にかかる発明では、横送り駆動用の螺軸の一端側は植付伝動ケースに支承され、他端の延出端側は植付ケースが固定連結されるフレームに固定されているので、強固なフレームの強度を利用して横送り駆動用の螺軸の曲げが抑えられ、円滑な横送り駆動が行える利点がある。
【００２８】
（リ）．請求項４にかかる発明では、重量物である植付伝動ケースを機体左右方向での中央部に配置し、横送り駆動用の螺軸はケース外へ延出することで植付伝動ケースの軽量化を図りながら左右バランスを良好に保つことができ、安定性のよい田植機を得ることができる利点がある。
【００２９】
（ヌ）．請求項５にかかる発明では、縦送り動力伝達用の軸は常時回転軸で構成されていて、その常時回転軸に設けられた左右一対の回転カムが、苗のせ台の横移動端で苗のせ台側の接当アームに接当して縦送り作動するので、縦送り動力伝達用の軸を間欠回転軸とした場合のように、その間欠回転軸を螺軸の一回転毎に往復揺動駆動するためのカム機構部分でのカム駆動音や振動発生を低減することができる。これによって、低騒音、低振動の作業環境に優れた田植機を提供することができる。
そして、その常時回転軸の延出端が最外側の植付ケース近傍に配置されているので、縦送り軸のメンテナンスも機体の左右方向での一側から行うことができ、より一層メンテナンス性に優れたものを得ることができる点でも有利である。
【００３０】
（ル）．請求項６にかかる発明では、縦送り装置を駆動する常時回転軸の延出方向は、植付伝動ケースの前記螺軸を突出させて配設した側と同じ側の横一側外方であるから、この常時回転軸に備えた回転カムと苗載せ台に備えられた接当アームとの接当部の点検・保守を、植付伝動ケースの同じ横側方位置で、しかもほぼ中央位置に存在する植付伝動ケースから同じ横一側方寄りに偏した箇所、つまり機体の右側もしくは左側のうちの何れか一方の側で、かつ機体横外側に近い箇所で行えるので、メンテナンス性のさらなる向上を図れる。
【００３１】
尚、特許請求の範囲の項に図面との対照を容易にするために符号を記すが、該記入により本発明は添付図面の構成に限定されるものではない。
【図面の簡単な説明】
【図１】  苗植付装置の一部切欠背面図
【図２】  伝動系を示す切欠背面図
【図３】  横送り機構を示す背面図
【図４】  田植機後部の側面図
【符号の説明】
４    植付伝動ケース
７    苗のせ台
７ａ  苗載置面
８ａ  植付爪
９    縦送り装置
１７  変速機構
１８  螺軸
２０  螺旋溝
２１  コマ部材
２７  常時回転軸
２９  回転カム
３０  接当アーム
３６  操作具
Ａ    横送り機構
【図１】
0003693600.tif 000002
【図２】
0003693600.tif 000003
【図３】
0003693600.tif 000004
【図４】
0003693600.tif 000005